(57)【要約】      （修正有）【課題】特定の受取人が特定の場所でのみ宅配箱を開封可能な宅配便システム等を提供する。【解決手段】宅配箱３の差出人は、宅配箱３が通過するゲートＩＤを設定する。宅配箱３の受取人が、社員証等の非接触ＩＣカード９をゲートにかざして通過すると、非接触ＩＣカード９のゲートＩＤ記録部に通過したゲートのゲートＩＤを記録される。また、宅配箱３もゲートにかざして通過すると、宅配箱３の非接触ＩＣカード５のゲートＩＤ記録部に通過したゲートのゲートＩＤを記録される。宅配箱３の開封条件判定部は、非接触Ｒ／Ｗ７により非接触ＩＣカード９のゲートＩＤ記録部に記録されたゲートＩＤを読み取り、差出人が指定したゲートＩＤと非接触ＩＣカード５及び９のゲートＩＤ記録部に記録されたゲートＩＤが一致した場合のみ、ロック解除装置に宅配箱３の開錠を指示する。【選択図】図１
2008087952.tif 000002
【特許請求の範囲】
【請求項１】
第１の非接触ＩＣカードと非接触リーダライタと開封条件判定手段とを有する宅配箱と、第２の非接触ＩＣカードを具備する宅配便システムであって、
前記第１の非接触ＩＣカードは、
ゲートを通過時に書き込まれる第１の情報を記憶し、
前記第２の非接触ＩＣカードは、
前記ゲートを通過時に書き込まれる第２の情報を記憶し、
前記非接触リーダライタは、
前記第２の非接触ＩＣカードの第２の情報を読み取り、
前記開封条件判定手段は、
前記第１の非接触ＩＣカードに記憶された第１の情報と、前記第２の非接触ＩＣカードに記憶された第２の情報に応じて、前記宅配箱の鍵を開錠するかどうかを判定することを特徴とする宅配便システム。
【請求項２】
前記開錠条件判定手段は、前記第１の非接触ＩＣカードに記憶された第１の情報と、前記第２の非接触ＩＣカードに記憶された第２の情報が前記ゲートの通過を示すものである場合、前記宅配箱の鍵を開錠する判定を行なうことを特徴とする請求項１記載の宅配便システム。
【請求項３】
前記開錠条件判定手段は、前記第１の非接触ＩＣカードに記憶された第１の情報と、前記第２の非接触ＩＣカードに記憶された第２の情報が指定されたゲートを示すものである場合、前記宅配箱の鍵の開錠する判定を行なうことを特徴とする請求項２記載の宅配便システム。
【請求項４】
第１の非接触ＩＣカードと非接触リーダライタと開封条件判定手段とを有する宅配箱であって、
前記第１の非接触ＩＣカードは、
ゲートを通過時に書き込まれる第１の情報を記憶し、
前記非接触リーダライタは、
第２の非接触ＩＣカードの第２の情報を読み取り、
前記開封条件判定手段は、
前記第１の非接触ＩＣカードに記憶された第１の情報と、前記第２の非接触ＩＣカードに記憶された第２の情報に応じて、前記宅配箱の鍵を開錠するかどうかを判定することを特徴とする宅配箱。
【請求項５】
前記開錠条件判定手段は、前記第１の非接触ＩＣカードに記憶された第１の情報と、前記第２の非接触ＩＣカードに記憶された第２の情報が前記ゲートの通過を示すものである場合、前記宅配箱の鍵を開錠する判定を行なうことを特徴とする請求項４記載の宅配箱。
【請求項６】
前記開錠条件判定手段は、前記第１の非接触ＩＣカードに記憶された第１の情報と、前記第２の非接触ＩＣカードに記憶された第２の情報が指定されたゲートを示すものである場合、前記宅配箱の鍵の開錠する判定を行なうことを特徴とする請求項４記載の宅配箱。
【発明の詳細な説明】
【技術分野】
【０００１】
本発明は、特定の受取人が特定の場所でのみ宅配箱を開封可能な宅配便システム等に関する。
【背景技術】
【０００２】
現状の宅配便等の配送サービスにおいては、受取人は配送された物品を受け取ったら、その物品に付された配送用伝票に認印を押す又は手書きでサインすることにより、受け取りを証明することが一般に行われている。
また、電子的に受け取りを確認するためのシステムとして、秘密鍵、公開鍵を用いた公開鍵暗号方式を利用したり、あるいは、携帯電話を用いて受取人の本人確認情報を光学的に読取可能なコードで表示し、表示されたコードを配送人の使用する端末で読取り、受取人の確認を行うことにより、信頼性の高い受取証明を行うものもある。（特許文献１、特許文献２参照）
【０００３】
【特許文献１】特開２００３−１２８２５４号公報
【特許文献２】特開２００６−０９２５０７号公報
【０００４】
しかしながら、上記の方法では、個人情報や機密情報の運搬等、より機密性の高い宅配便システムでは、受取人を限定する必要があるが、受取人を限定するだけでは、実際に受取人が宅配箱を開封するとは限らず、セキュリティが不十分である。更に、個人情報等は、宅配箱を開封する場所も、例えば、企業のビル内のＩＣカードで入退室が管理されているようなセキュリティルームで開封されることが重要となる。予め携帯電話番号を登録した受取人が、サーバに携帯電話で電話をかけることにより鍵が開錠されるという宅配箱も実用化されているが、ＩＣカードで入退室が管理されている場所では、携帯電話の通話が確実に確保されているとは限らず、また、携帯電話の持ち込みを禁止している場合もある。
【０００５】
本発明は、このような問題に鑑みてなされたもので、その目的とするところは、特定の受取人が特定の場所でのみ宅配箱を開封可能な宅配便システム等を提供することにある。
【発明の開示】
【課題を解決するための手段】
【０００６】
前述した目的を達成するために第１の発明は、第１の非接触ＩＣカードと非接触リーダライタと開封条件判定手段とを有する宅配箱と、第２の非接触ＩＣカードを具備する宅配便システムであって、前記第１の非接触ＩＣカードは、ゲートを通過時に書き込まれる第１の情報を記憶し、前記第２の非接触ＩＣカードは、前記ゲートを通過時に書き込まれる第２の情報を記憶し、前記非接触リーダライタは、前記第２の非接触ＩＣカードの第２の情報を読み取り、前記開封条件判定手段は、前記第１の非接触ＩＣカードに記憶された第１の情報と、前記第２の非接触ＩＣカードに記憶された第２の情報に応じて、前記宅配箱の鍵を開錠するかどうかを判定することを特徴とする宅配便システムである。
【０００７】
前記開錠条件判定手段は、前記第１の非接触ＩＣカードに記憶された第１の情報と、前記第２の非接触ＩＣカードに記憶された第２の情報が前記ゲートの通過を示すものである場合、前記宅配箱の鍵を開錠する判定を行なう。
前記開錠条件判定手段は、前記第１の非接触ＩＣカードに記憶された第１の情報と、前記第２の非接触ＩＣカードに記憶された第２の情報が指定されたゲートを示すものである場合、前記宅配箱の鍵の開錠する判定を行なう。
【０００８】
第２の発明は、第１の非接触ＩＣカードと非接触リーダライタと開封条件判定手段とを有する宅配箱であって、前記第１の非接触ＩＣカードは、ゲートを通過時に書き込まれる第１の情報を記憶し、前記非接触リーダライタは、第２の非接触ＩＣカードの第２の情報を読み取り、前記開封条件判定手段は、前記第１の非接触ＩＣカードに記憶された第１の情報と、前記第２の非接触ＩＣカードに記憶された第２の情報に応じて、前記宅配箱の鍵を開錠するかどうかを判定することを特徴とする宅配箱である。
【発明の効果】
【０００９】
本発明によれば、特定の受取人が特定の場所でのみ宅配箱を開封可能な宅配便システム等を提供することができる。
【発明を実施するための最良の形態】
【００１０】
以下、添付図面を参照しながら、本発明に係る好適な実施形態について詳細に説明する。
最初に、図１を参照しながら、本実施の形態に係る宅配便システム１の概要について説明する。
図１は、宅配便システム１の概要を示す図である。
【００１１】
宅配便システム１は、非接触ＩＣカード５及び非接触Ｒ／Ｗ（リーダライタ）７を有する宅配箱３と、社員証等の非接触ＩＣカード９からなり、宅配箱３は図２示す開封条件判定部１１を内蔵している。
宅配箱３は、個人情報や機密情報等の機密性が高いものを運搬するための箱で、企業のビル内のセキュリティルーム等で開封する必要がある。セキュリティルームは、社員証のような非接触ＩＣカード９を用いて入退室を管理している。
宅配箱３の受取人は、非接触ＩＣカード９を保持している。
【００１２】
宅配箱３の受取人は、非接触ＩＣカード９をセキュリティルームのゲートにかざして入室する。ゲートを通過すると、非接触ＩＣカード９内のフラグがセットされる。
また、宅配箱３の受取人は、宅配箱３と共にセキュリティルームに入る。その際、受取人は非接触ＩＣカード５をセキュリティルームのゲートにかざすと、非接触ＩＣカード５内のフラグがセットされる。宅配箱３は、トンネル型の荷物用ゲートを通すようにしてもよい。
非接触ＩＣカード５及び９にセットされたフラグは、セキュリティルームを退室する際にリセットされる。
【００１３】
セキュリティルーム内で、宅配箱３の受取人は、非接触ＩＣカード９を非接触Ｒ／Ｗ７にかざす。宅配箱３の開封条件判定部１１は、宅配箱３の非接触ＩＣカード５と、受取人の非接触ＩＣカード９の両方にセキュリティルームのゲートを通過したことを示すフラグがセットされている場合、宅配箱３を開封する。
宅配箱３の非接触ＩＣカード５と、受取人の非接触ＩＣカード９に予め鍵を設定しておき、その認証もするようにしてもよい。
【００１４】
次に、図２、３、４、５を参照しながら、宅配便システム１の詳細について説明する。
図２は、宅配箱３のハードウエア構成を示す図、図３は、非接触ＩＣカード５（非接触ＩＣカード９）のハードウエア構成を示す図、図４は、開封条件判定部１１のハードウエア構成を示す図、図５は、開封条件判定部１１のメモリ４４の詳細を示す図である。
【００１５】
図２に示すように、宅配箱３は、非接触ＩＣカード５、非接触Ｒ／Ｗ７、開封条件判定部１１、バッテリ１３、ロック解除装置１５等を有する。
【００１６】
非接触ＩＣカード５は、宅配箱３の外部側面に装着されており、非接触Ｉ／Ｆと接触Ｉ／Ｆを持つデュアルタイプで、接触Ｉ／Ｆを介して開封条件判定部１１とアクセスする。
図３に示すように、非接触ＩＣカード５は、ＣＰＵ（Ｃｅｎｔｒａｌ  Ｐｒｏｃｅｓｓｉｎｇ  Ｕｎｉｔ）２１、ＲＯＭ（Ｒｅａｄ  Ｏｎｌｙ  Ｍｅｍｏｒｙ）２２、ＲＡＭ（Ｒａｎｄｏｍ  Ａｃｃｅｓｓ  Ｍｅｍｏｒｙ）２３、メモリ２４、通信部２６がバス２８を介して接続される。
【００１７】
ＣＰＵ２１は、プログラムの実行を行う。ＲＯＭ２２は、プログラム命令あるいはデータ等を格納する。ＲＡＭ２３は、プログラムの実行中、一時的にデータ等を格納する。
メモリ２４は、非接触ＩＣカード５の動作に必要となるデータ等を保存しており、ゲートＩＤ記録部２５を有する。
ゲートＩＤ記録部２５は、セキュリティルームのゲートを通過すると、入室時にはそのゲートのゲートＩＤがセットされ、退室時にゲートＩＤがリセットされる。
通信部２６は、アンテナ２７を有する。非接触ＩＣカード５をセキュリティルームのゲート、宅配箱３等にかざすことにより、非接触ＩＣカード５は、無線通信をする。
非接触ＩＣカード９も、非接触ＩＣカード５と同様のハードウエア構成を有する。
【００１８】
非接触Ｒ／Ｗ７は、バッテリ１３からの電力により駆動され、宅配箱３の受取人の非接触ＩＣカード９がかざされると、非接触ＩＣカード９のメモリ２４内のゲートＩＤ記録部２５に記録されたゲートＩＤを取得する。
【００１９】
開封条件判定部１１はコンピュータで、バッテリ１３からの電力により駆動され、宅配箱３の鍵を開錠するかどうか判定する。
開封条件判定部１１は、非接触Ｒ／Ｗ７が取得した非接触ＩＣカード９のメモリ２４内のゲートＩＤ記録部２５に記録されたゲートＩＤと、宅配箱３の非接触ＩＣカード５のメモリ２４内のゲートＩＤ記録部２５に記録されたゲートＩＤを比較し、一致すればロック解除装置１５に指示し、宅配箱３の鍵を開錠する。
開錠を許可する条件として、予め差出人がゲートＩＤを指定し、そのゲートＩＤと非接触ＩＣカード５及び９のメモリ２４内のゲートＩＤ記録部に記録されたゲートＩＤが一致する場合に、宅配箱３の鍵を開錠するというようにしてもよい。
【００２０】
図４に示すように、開封条件判定部１１は、制御部４１、表示部４２、入力部４３、メモリ４４、通信部４５等がバス４６を介して接続される。
制御部４１は、プログラムの実行を行うＣＰＵと、ＯＳ（Ｏｐｅｒａｔｉｎｇ  Ｓｙｓｔｅｍ）、プログラム命令あるいはデータ等を格納するためのＲＯＭ（Ｒｅａｄ  Ｏｎｌｙ  Ｍｅｍｏｒｙ）、一時的な作業用データを格納するためのＲＡＭ（Ｒａｎｄｏｍ  Ａｃｃｅｓｓ  Ｍｅｍｏｒｙ）等のメモリから構成される。制御部４１は、開封条件判定部１１全体を制御する。
表示部４２は表示パネル等を有し、表示パネル等への表示制御を行う。
入力部４３は、数字や文字、操作指示を入力するためのキーボタンを有し、キーボタンの操作に応じた信号を制御部４１に出力する。
通信部４５は、非接触ＩＣカード５、ロック解除装置１５等との通信を制御する。
【００２１】
メモリ４４は、開封条件判定部１１が宅配箱３の開封条件判定処理に必要となるプログラムや、データ等が格納されている。
図５に示すように、メモリ４４は、ＯＳ５１、ゲートＩＤ記録部５２、差出人ゲートＩＤ設定処理部５３、ゲートＩＤ比較処理部５４、非接触ＩＣカードゲートＩＤ読取処理部５５、非接触Ｒ／ＷゲートＩＤ読取処理部５６、ロック解除処理部５７等を有する。
【００２２】
ＯＳ５１は、開封条件判定部１１全体の動作を制御するためのプログラムである。
ゲートＩＤ記録部５２は、宅配箱３の差出人が宅配箱３の開封を許可するゲートＩＤを設定した場合、そのゲートＩＤを保持する。
差出人ゲートＩＤ設定処理部５３は、宅配箱３の差出人が宅配箱３の開封を許可するゲートＩＤを設定する処理を行う。
【００２３】
非接触ＩＣカードゲートＩＤ読取処理部５５は、開封条件判定部１１に接続された非接触ＩＣカード５のゲートＩＤ記録部２５に記録されたゲートＩＤを読み取る。
非接触Ｒ／ＷゲートＩＤ読取処理部５６は、宅配箱３の受取人が非接触ＩＣカード９を宅配箱３の非接触Ｒ／Ｗ７にかざし、非接触Ｒ／Ｗ７が取得した非接触ＩＣカード９のゲートＩＤ記録部２５に記録されたゲートＩＤを読み取る。
【００２４】
ゲートＩＤ比較部５４は、非接触ＩＣカードゲートＩＤ読取処理部５５が読み取った宅配箱３の非接触ＩＣカード５のゲートＩＤ記録部２５に記録されたゲートＩＤと、非接触Ｒ／ＷゲートＩＤ読取処理部５６が読み取った宅配箱３の受取人の非接触ＩＣカード９のゲートＩＤ記録部２５に記録されたゲートＩＤとが一致するかどうか、比較処理を行う。この比較処理では、非接触ＩＣカードゲートＩＤ読取処理部５５が読み取った宅配箱３の非接触ＩＣカード５のゲートＩＤ記録部２５に記録されたゲートＩＤと、非接触Ｒ／ＷゲートＩＤ読取処理部５６が読み取った宅配箱３の受取人の非接触ＩＣカード９のゲートＩＤ記録部２５に記録されたゲートＩＤとが、宅配箱３の差出人が指定したゲートＩＤ記録部５２に記録されたゲートＩＤと一致するかどうかという比較処理を行ってもよい。
【００２５】
ロック解除処理部５７は、ゲートＩＤ比較処理部５４によりゲートＩＤが一致したと判定した場合、ロック解除装置１５に宅配箱３の開錠を指示する。
【００２６】
ロック解除装置１５は、バッテリ１３からの電力により駆動され、開封条件判定部１１からの指示により、宅配箱３の鍵を開錠する。
【００２７】
次に、図６を参照しながら、本実施形態の動作について説明する。
図６は、宅配箱３の開封判定の処理の流れを示す図である。
【００２８】
宅配箱３の差出人は、セキュリティエリアのような宅配箱３の開封を許可する場所を指定するため、宅配箱３の開封条件判定部１１の入力部４３を用いてゲートＩＤを入力することにより、開封条件判定部１１の制御部４１は、ゲートＩＤを開封条件判定部１１のメモリ４４のゲートＩＤ記録部５２に設定し（ステップ１０１）、宅配箱３の鍵をかける。
ゲートＩＤ記録部５２に設定するゲートＩＤは、宅配箱３を発送するたびに差出人が設定するようにしてもよいし、予め特定のゲートＩＤを設定しておいてもよい。
あるいは、特定のゲートＩＤに限定することなく、宅配箱３と差出人が同一のゲートを通過し、セキュリティエリアに入ったことだけを確認すればよい場合、宅配箱３の差出人によるゲートＩＤの設定処理は省略してもよい。
【００２９】
宅配箱３を指定された場所に輸送後、受取人は社員証等の非接触ＩＣカード９をゲートにかざして、宅配箱３の差出人が受け取り場所として指定したセキュリティエリア等に入室すると、非接触ＩＣカード９のＣＰＵ２１は、通過したゲートのゲートＩＤをメモリ２４内のゲートＩＤ記録部２５に書き込む。また、受取人はゲートに宅配箱３の非接触ＩＣカード５をかざすと、非接触ＩＣカード５のＣＰＵ２１は、通過したゲートのゲートＩＤをメモリ２４のゲートＩＤ記録部２５に書き込む（ステップ１０２）。
【００３０】
宅配箱３の受取人は、セキュリティエリアに入室後、非接触ＩＣカード９を宅配箱３の非接触Ｒ／Ｗ７にかざすと、開封条件判定部１１の制御部４１は、非接触Ｒ／ＷゲートＩＤ読取処理部５６により、非接触Ｒ／Ｗ７は非接触ＩＣカード９のメモリ２４内のゲートＩＤ記録部２５に記録されたゲートＩＤを読み取り（ステップ１０３）、非接触ＩＣカードゲートＩＤ読取処理部５５により、宅配箱３の非接触ＩＣカード５のメモリ２４内のゲートＩＤ記録部２５に記録されたゲートＩＤを読み取る（ステップ１０４）。
【００３１】
開封条件判定部１１の制御部４１は、非接触ＩＣカード５のゲートＩＤ記録部２５及び非接触ＩＣカード９のゲートＩＤ記録部２５にゲートＩＤが記録されていたか判定し（ステップ１０５）、両方にゲートＩＤが記録されていなければ、ロック解除装置１５に宅配箱３の開錠を指示しない（ステップ１０８）。
【００３２】
非接触ＩＣカード５のゲートＩＤ記録部２５及び非接触ＩＣカード９のゲートＩＤ記録部２５の両方にゲートＩＤが記録されていた場合、両方のゲートＩＤが開封条件判定部１１のメモリ４４内のゲートＩＤ記録部５２に設定されているゲートＩＤと一致するかどうか判定し（ステップ１０６）、一致した場合は、ロック解除装置１５に宅配箱３の開錠を指示するが（ステップ１０７）、一致しない場合は、ロック解除装置１５に宅配箱３の開錠を指示しない（ステップ１０８）。
ゲートＩＤ記録部５２にゲートＩＤが設定されていない場合、非接触ＩＣカード５のゲートＩＤ記録部２５及び非接触ＩＣカード９のゲートＩＤ記録部２５に記録されているゲートＩＤが一致すれば、ロック解除装置１５に宅配箱３の開錠を指示し、一致しない場合、ロック解除装置１５に宅配箱３の開錠を指示しない。
【００３３】
以上、説明したように本実施によれば、特定の受取人が特定の場所でのみ宅配箱を開封可能な宅配便システム等を提供することができる。
【００３４】
宅配箱に装着する非接触ＩＣカードの代わりに、ＩＣタグを使用してもよい。セキュリティエリア等のゲートに受取人の非接触ＩＣカード用の読取機と、宅配箱のＩＣタグ用の読取機が必要となるが、宅配箱をゲートにかざす必要がなくなる。
【００３５】
また、宅配箱にカメラを内蔵し、宅配箱を開封時の写真を撮るようにしてもよい。写真を撮ることにより、受取人を写真で確認できるため、例えば、他人の社員証等の非接触ＩＣカードを用いて宅配箱を開封していないかを判定することが可能となり、よりセキュリティ性を向上できる。
【００３６】
添付図面を参照しながら本発明に係る宅配便システムの好適な実施形態について説明したが、前述した実施の形態に限定されない。当業者であれば、特許請求の範囲に記載された技術的思想の範疇内において各種の変更例または修正例に想到し得ることは明らかであり、それらについても当然に本発明の技術的範囲に属するものと了解される。
【図面の簡単な説明】
【００３７】
【図１】宅配便システム１の概要を示す図
【図２】宅配箱３のハードウエア構成を示す図
【図３】非接触ＩＣカード５（非接触ＩＣカード９）のハードウエア構成を示す図
【図４】開封条件判定部１１のハードウエア構成を示す図
【図５】開封条件判定部１１のメモリ４４の詳細を示す図
【図６】宅配箱３の開封判定の処理の流れを示す図
【符号の説明】
【００３８】
１………宅配便システム
３………宅配箱
５………非接触ＩＣカード
７………非接触Ｒ／Ｗ
９………非接触ＩＣカード
１１………開封条件判定部
１３………バッテリ
１５………ロック解除装置
【図１】
2008087952.tif 000003
【図２】
2008087952.tif 000004
【図３】
2008087952.tif 000005
【図４】
2008087952.tif 000006
【図５】
2008087952.tif 000007
【図６】
2008087952.tif 000008